(57)【要約】      （修正有）【課題】実物の被試験器、接続ケーブルおよび測定器等がない状態でも、訓練者が試験装置にて擬似的な試験が行え、訓練指導者が訓練の結果を確認することが可能な試験システムを提供する。【解決手段】電子機器の性能の自動測定を行い、電子機器の被訓練者によって操作される試験用端末１０が備えられ、試験用端末にＬＡＮ接続され、試験用端末に模擬試験を行わせるため、訓練指導者によって操作される指導者用端末８０を備え、画面の複数の試験項目欄に示された測定値に対して、要求基準を斟酌して、測定値を任意の値に変更して、模擬試験に用いられるような模擬試験データの設定が行え、設定された模擬試験データを試験用端末に転送する機能を有し、試験用端末では、模擬試験であっても実機である被試験器５０および測定器３０を用いた試験の場合と同様な試験操作、被試験器の故障探求、および試験用ケーブルの接続の訓練が可能となるように構成される。【選択図】図１
2016148618.tif 000002
【特許請求の範囲】
【請求項１】
電子機器の性能の自動測定を行い、当該電子機器の被訓練者によって操作される試験用端末が備えられた試験システムであって、
前記試験用端末にＬＡＮ接続され、前記試験用端末に模擬試験を行わせるため、訓練指導者によって操作される指導者用端末を備え、
前記指導者用端末は、メモリに記憶された実測試験データまたは模擬試験データを読み出し、読み出されたデータを画面に表示させ、該画面の複数の試験項目欄に示された測定値に対して、要求基準を斟酌して、該測定値を任意の値に変更して、前記模擬試験に用いられるような模擬試験データの設定が行え、該設定された模擬試験データを前記試験用端末に転送する機能を有し、
前記試験用端末では、前記模擬試験であっても実機である被試験器および測定器を用いた試験の場合と同様な試験操作、前記被試験器の故障探求、および試験用ケーブルの接続の訓練が可能となるように構成されたことを特徴とする試験システム。
【請求項２】
請求項１記載の試験システムにおいて、
前記試験用端末は、前記被試験器の故障探求および前記試験用ケーブルの接続訓練の結果を前記訓練者用端末に送信する手段を備え、
前記指導者用端末は、前記試験用端末から送信された前記被試験器の故障探求および前記試験用ケーブルの接続訓練の結果に基づいて、当該訓練の結果を表示部に表示することを特徴とする試験システム。
【請求項３】
請求項１または２に記載の試験システムにおいて、
前記指導者用端末は、前記試験用ケーブルの接続訓練の結果をケーブルの接続状態を示した図で色分け表示して示すことを特徴とする試験システム。
【発明の詳細な説明】
【技術分野】
【０００１】
本発明は、無線機等の被試験器の性能を自動測定する試験システムに関する。
【背景技術】
【０００２】
航空機に搭載される通信・航法装置などの装置に対しての整備基地での整備作業は、迅速、正確、漏れのないことが必須であり、このために、整備基地では、自動測定が行われる試験装置として、図９の従来の試験装置のシステム外観図に示すようなシステムが備えられている。この試験装置のシステムの操作および被試験器の故障区分判定には、整備担当者の習熟が欠かせない。
【０００３】
従来の試験装置のシステムは、各種の汎用測定器１２０（ラックの各段に配置）、信号切換等を行う測定経路切換器１４０、試験信号切換制御、汎用測定器の測定モードの設定、測定データの記憶・表示などを行う試験用ＰＣ１１０を主な構成としている。
【０００４】
整備担当者の習熟方法としては、故障した被試験器（試験対象機材）１３０を試験装置に接続して試験し、試験項目の測定結果の不良発生箇所から被試験器１３０の故障モジュールを特定するような手順がある。
【０００５】
この場合、整備担当者が行う試験装置の習熟訓練時においては、被試験器に予め識別された不良状況を発生させておく必要があるので、従来は、そのようなことが設定できる訓練用被試験器を備えておき、この訓練用被試験器に対して任意に故障状態を設定させるため、モジュールに故障となるような原因の細工を行っていた。
【０００６】
しかし、実際面で発生する故障モードは、１つのモジュールで１つの故障原因とは限らず、複数の故障状態が存在することがある。特に複数の機能を有するモジュールに関しては、より多重故障の傾向がある。
【０００７】
このようなことから、被試験器に予め識別された、あらゆる不良状況を模擬的に発生させておくために、故障毎にモジュールを多数備える必要があり、これは試験装置のシステムとしては、大変、非効率的である。従来は、極めて限定的な故障モードのモジュールを備えられた試験装置のシステムであった。
【０００８】
なお、故障解析を効率的に行うようなものとして、自動試験装置による試験結果のデータを遠隔監視して、必要な場所での被試験器の故障分析ができるような自動試験システムが提案されている。（例えば、特許文献１参照）
【０００９】
従来技術の試験装置のシステムは、被試験器が予め識別された、極めて限定的な故障モードのモジュールを備えたものであったため、習熟訓練に際しあらゆる不良状況を模擬的に発生させておくことが不可能であった。
【００１０】
そこで、特許文献２には、故障毎に故障モジュールを備えておかなくても、試験装置のシステムの操作および被試験器の故障区分の判定が行え、整備担当者の習熟訓練が実施できる試験装置が開示されている。
【００１１】
また、特許文献２の試験装置は、無線機等の性能の自動測定を行い、該無線機等の被訓練者によって操作される試験用ＰＣが備えられた試験装置であって、前記試験用ＰＣにＬＡＮ接続され、前記試験用ＰＣに模擬試験を行わせるため、訓練指導者によって操作される模擬データ設定用ＰＣを備え、前記模擬データ設定用ＰＣは、メモリに記憶された実測試験データまたは模擬試験データを読み出し、読み出されたデータを画面に表示させて、該画面の複数の試験項目欄に示された測定値に対して、要求基準と斟酌して、該測定値を任意の値に変更して、前記模擬試験に用いられるような模擬試験データの設定が行え、該設定された模擬試験データを前記試験用ＰＣに転送する機能を有し、前記試験用ＰＣでは、前記模擬試験であっても実機である被試験器および測定器を用いた試験の場合と同等な試験操作および前記被試験器の故障探求の訓練が可能となるように構成されている。
【先行技術文献】
【特許文献】
【００１２】
【特許文献１】特開２００６−１３２９９９号公報（図１）
【特許文献２】特開２００８−１７５６８１号公報
【発明の概要】
【発明が解決しようとする課題】
【００１３】
しかしながら、特許文献２の試験装置では、被試験器や接続ケーブル等がない状態で試験を実施するため、被試験器と試験装置との接続や、試験装置の起動手順等の操作については実機がない状態での実施に留まっている。そのため、試験用ＰＣに表示される接続手順の説明（静止画）での確認しか行えていなかった。また、指導する教官（訓練指導者）は、訓練者が行った訓練の結果を自分のＰＣ（模擬データ設定用ＰＣ）で確認することができなかった。
【００１４】
本発明は、このような状況に鑑みてなされたものであり、実物の被試験器、接続ケーブルおよび測定器等がない状態でも、訓練者が試験装置にて擬似的な試験が行え、試験装置の使用方法、並びに被試験器と試験装置との接続方法やモジュールの交換方法を習得することができ、また、訓練指導者が訓練の結果を確認することが可能な試験システムを提供することを目的とする。
【課題を解決するための手段】
【００１５】
上記課題を解決するために、本発明の試験システムは、電子機器の性能の自動測定を行い、当該電子機器の被訓練者によって操作される試験用端末が備えられた試験システムであって、前記試験用端末にＬＡＮ接続され、前記試験用端末に模擬試験を行わせるため、訓練指導者によって操作される指導者用端末を備え、前記指導者用端末は、メモリに記憶された実測試験データまたは模擬試験データを読み出し、読み出されたデータを画面に表示させ、該画面の複数の試験項目欄に示された測定値に対して、要求基準を斟酌して、該測定値を任意の値に変更して、前記模擬試験に用いられるような模擬試験データの設定が行え、該設定された模擬試験データを前記試験用端末に転送する機能を有し、前記試験用端末では、前記模擬試験であっても実機である被試験器および測定器を用いた試験の場合と同様な試験操作、前記被試験器の故障探求、および試験用ケーブルの接続の訓練が可能となるように構成されたことを特徴とする。
【００１６】
また、上記課題を解決するために、本発明の試験システムは、上記した試験システムにおいて、前記試験用端末は、前記被試験器の故障探求および前記試験用ケーブルの接続訓練の結果を前記訓練者用端末に送信する手段を備え、前記指導者用端末は、前記試験用端末から送信された前記被試験器の故障探求および前記試験用ケーブルの接続訓練の結果に基づいて、当該訓練の結果を表示部に表示することを特徴とする。
【００１７】
また、上記課題を解決するために、本発明の試験システムは、上記した試験システムにおいて、前記指導者用端末は、前記試験用ケーブルの接続訓練の結果をケーブルの接続状態を示した図で色分け表示して示すことを特徴とする。
【発明の効果】
【００１８】
本発明によれば、実物の被試験器、接続ケーブルおよび測定器等がない状態でも、訓練者が試験装置にて擬似的な試験が行え、試験装置の使用方法、並びに被試験器と試験装置との接続方法やモジュールの交換方法を習得することができ、また、訓練指導者が訓練の結果を確認することが可能な試験システムを提供することができる。
【図面の簡単な説明】
【００１９】
【図１】本発明の一実施形態に係る試験システムの構成の一例を示す図である。
【図２】本発明の一実施形態に係る試験システムにおける試験用端末および指導者用端末のハードウェア構成の一例を示す図である。
【図３】本発明の一実施形態に係る試験システムにおける指導者用端末の操作画面の一例を示す図である。
【図４】本発明の一実施形態に係る試験システムにおいて、訓練対象とされた整備担当者が試験用端末を使用して行う測定処理のフローチャートである。
【図５】試験用端末１０の入出力装置２５６に表示された試験手順を示す操作画面の一例である。
【図６】模擬被試験器５０の外観を示す斜視図および他のケーブル接続用パネルを示す図である。
【図７】本発明の指導者用端末の表示画面の一例を示す図である。
【図８】本発明の指導者用端末の表示画面の他の例を示す図である
【図９】従来の試験装置のシステム外観図である。
【発明を実施するための形態】
【００２０】
［試験システムの制御構成］
以下、本発明の一実施形態に係る試験システムについて、図１を参照して詳細に説明する。図１は、本発明の一実施形態に係る試験システムの構成の一例を示す図である。
本発明の一実施形態に係る試験システム１は、図１に示すように、試験装置２と被試験器または模擬被試験器５０とが複数の試験用ケーブル１６０を介して接続され、また、試験装置２の構成品の一つである訓練対象とする整備担当者（訓練者）が操作する試験用端末１０と訓練指導する教官（訓練指導者）が操作する指導者用端末８０とがＬＡＮ（ローカル・エリア・ネットワーク）回線で接続されて構成されている。
試験装置２は、試験用端末１０と、測定器３０−１〜３０−Ｎ（Ｎは１以上の整数。但し、Ｎがそれぞれ常に同じ数とは限らない）と、専用試験器４０と、測定経路切換器２０とから構成されている。
【００２１】
なお、以下の各図において、図示の具体化および明確化のために、本発明の説明に必要ない構成部分が、適宜省略される。
さらに、以下、測定器３０−１〜３０−Ｎなど、複数ある構成部分のいずれかを特定せずに示す場合には、単に測定器３０などと略記することがある。
また、図１に示した試験システム１を構成する装置のうち、任意の２つ以上は、適宜、一体に構成されうる。
また、ある１つの装置において実現される複数の機能が、それぞれ別々の装置において実現されるようにしてもよいし、図１に示された装置以外の任意の装置において実現されるようにしてもよい。
【００２２】
試験用端末１０は、試験用のソフトウェアを記憶しており、試験を実施する際には、被試験器または模擬被試験器５０と試験装置２とが試験用ケーブル１６０（電源ケーブル、ＲＦケーブル、通信用ケーブルなど）で接続され、所定の試験を実行する。
試験に使用される試験用ケーブル１６０の種類は複数あり、また、試験用ケーブル１６０は、被試験器または模擬被試験器５０ごとに専用に使用される。
【００２３】
試験用端末１０は、たとえばコンピュータであって、測定経路切換器２０、測定器３０および専用試験器４０を制御する。
具体的には、試験用端末１０は、試験内容に応じて使用する測定器３０または専用試験器４０に試験信号を入力させるように測定経路を切り替えるため、測定経路切換器２０に対して、測定経路切換信号を送信する。
また、試験用端末１０は、試験装置２と被試験器または模擬被試験器５０とを接続する複数の試験用ケーブル１６０がどのように接続されるべきかを示す接続図（図５を用いて後述する）を表示する。
【００２４】
また、試験用端末１０には、過去に実際に行われた測定において、測定器が使用された時の試験結果として、実際の被試験器での試験結果および試験モデルとしての訓練用模擬被試験器での試験結果の各種の実測試験データが当該端末内のメモリに記憶・保存されている。
【００２５】
測定器３０は、汎用の測定機器であって、試験用端末１０が実行する試験で使用され、被試験器または模擬被試験器５０から出力された試験信号を、測定経路切換器２０を介して受信して所定の測定を行う。なお、例えば、通信・航法装置の測定に用いる汎用の測定器３０には、デジタルオシロスコープ、シンセサイズド信号発生器、モジュレーション・アナライザ、低周波分析器およびスペクトラム・アナライザなどがある。
専用試験器４０は、各被試験器または模擬被試験器５０（および各試験項目）について専用に使用される試験器であって、被試験器または模擬被試験器５０から出力された試験信号を、測定経路切換器２０を介して受信して所定の測定を行う。
【００２６】
測定経路切換器２０は、試験用端末１０から切換制御ラインを介して入力される測定経路切換信号に従って、被試験器または模擬被試験器５０と測定器３０および専用試験器４０との測定経路を切り換える。
例えば、測定経路切換器２０は、被試験器または模擬被試験器５０からの試験信号が測定器３０−１によって測定されるべき場合は、その試験信号が伝送される試験用ケーブル１６０と測定器３０−１とが電気的に接続されるように、経路を切り換える。なお、測定経路切換器２０が有する機能ブロックとしては、図示していない低周波信号切換部、高周波信号切換部、ディスクリート信号設定部などがある。
また、測定経路切換器２０は、測定器３０と被試験器または模擬被試験器５０とを接続する測定器接続部２２と、専用試験器４０と被試験器または模擬被試験器５０とを接続する専用試験器接続部２４とを有する。
【００２７】
測定器接続部２２は、一方を測定器３０と接続されている。また、測定器接続部２２は、他方に被試験器または模擬被試験器５０との試験信号の通信に使用される試験用ケーブル１６０が接続するための端子を有する。
専用試験器接続部２４は、一方を専用試験器４０と接続されており、また、他方には、被試験器または模擬被試験器５０との試験信号の通信に使用される試験用ケーブル１６０が接続するための端子を有している。
なお、以下、測定器接続部２２および専用試験器接続部２４を総称して「測定器接続部２２等」と称することがある。
【００２８】
指導者用端末８０は、試験用端末１０に保存されている実測試験データをＬＡＮ回線経由で、一旦、指導者用端末８０内に有するメモリに取り込んで記憶させる。指導者用端末８０は、後述するデータ編集用の操作画面を有しており、各測定項目に対して、指導教官が編集作業を行い、訓練用の模擬試験データに仕立てることが可能である。
【００２９】
また、指導者用端末８０では、この端末にて過去に訓練用として作成・登録し、当該端末のメモリに記憶・保存しておいた模擬試験データのファイルにより、これを読み出してのデータ編集も可能である。
【００３０】
更に、指導者用端末８０では、試験用端末１０および指導者用端末８０のメモリに記憶・保存された過去データを用いず、全項目について今回、新たな模擬試験データとして作成することも可能である。
【００３１】
［試験用端末および指導者用端末のハードウェア構成］
前述した試験用端末１０および指導者用端末８０のハードウェア構成について、図２を参照して説明する。図２は、本発明の一実施形態に係る試験システムにおける試験用端末および指導者用端末のハードウェア構成の一例を示す図である。
【００３２】
図２に示すように、試験用端末１０および指導者用端末８０は、ＣＰＵ（Central  Processing  Unit）２５２およびメモリ２５４などを含む本体２５０、キーボードおよび表示装置などを含む入出力装置２５６、他の装置との通信を行う通信装置２５８、および、ＣＤ装置およびＨＤＤ装置など、記録媒体２６２に対するデータの記録および再生を行う記録装置２６０から構成される。
つまり、試験用端末１０および指導者用端末８０は、情報処理および他の装置との通信が可能なコンピュータとしてのハードウェア構成部分を有している。
【００３３】
ここで、本発明の一実施形態に係る試験システムにおける実測時のシステム動作について、図１を参照して説明する。
先ず、試験用端末１０にて選択された試験項目に応じて、試験用端末１０から測定経路切換器２０に対して測定経路切換信号が出力され、測定経路切換器２０では、低周波信号、高周波信号の接続経路、ＣＭＯＳ又はＴＴＬレベルでのディスクリート信号の経路設定が行われる。
【００３４】
また、試験用端末１０より各種の測定器３０または専用試験器４０に対して測定器設定信号が出力されて、ＧＰ−ＩＢ、ＲＳ−２３２Ｃ等の通信インターフェイス基準により各種の測定器３０または専用試験器４０に対して周波数などの測定条件の設定が行われる。
【００３５】
以上の測定経路切換器２０および各種の測定器３０の設定が完了すれば、測定経路切換器２０に接続された被試験器５０に対して、測定器３０のうち信号発生器から出力された低周波および高周波などの試験信号が入力され、性能測定試験に入る。
【００３６】
次に、被試験器５０では、入力された信号に対応して、送信出力又は受信出力などが測定経路切換器２０を経由してスペクトラム・アナライザなどの測定器３０に、被試験器データとして転送される。
【００３７】
送信出力又は受信出力などの測定のために、測定系として割り付けられた測定器３０では所定の測定が行われ、その測定結果の出力は、測定結果のデータとして試験用端末１０に転送される。
【００３８】
測定データとして入力された試験用端末１０では、要求基準との差値の算出およびその良否判定などを行って、その結果を試験結果としてのデータの一覧表に編集され、これを試験用端末１０の表示部に表示し、かつ、測定データとしてメモリに記憶される。
【００３９】
これらの試験結果は、試験が行われる都度のデータ毎に日時管理されてメモリに記憶・保存される。
【００４０】
試験用端末１０に実測試験データとして保存されたデータは、ＬＡＮ接続された指導者用端末８０の転送要求に従い出力することができる。
【００４１】
次に、訓練対象とする整備担当者が訓練操作に入る前準備として、試験用端末１０と指導者用端末８０とが接続された本発明の試験システム１の構成で、指導教官が指導者用端末８０の入出力装置２５６から、その操作画面を前にして訓練のための試験装置２の設定を以下の手順により行う。
【００４２】
本発明の一実施形態に係る試験システムにおける指導者用端末の操作画面の一例を図３に示す。
指導者用端末８０は、試験用端末１０に対して、通常の実測試験であるか、模擬試験であるかの試験モード設定の指令を行う。
【００４３】
更に、指導者用端末８０は、試験データの模擬値の編集を行い、これを模擬試験データとして試験用端末１０に対して転送し、試験用端末１０内に設定させるようにする機能を有する。
【００４４】
指導者用端末８０での模擬試験データを設定するための編集画面を図３に示す。
図３の編集画面での主な表示内容は、模擬試験データのファイル選択欄（ａ)、測定項目、要求基準欄（ｂ）、模擬試験データのファイル選択で選択されたファイルでの測定値欄（ｃ）、測定値の良否判定欄（ｄ）、試験結果が“否”の時の故障該当を表示するモジュール番号欄（ｅ）、模擬試験の開始ボタン欄（ｆ）、および、測定値の変更画面欄（ｇ）によって構成されている。
【００４５】
指導者用端末８０では、試験用端末１０で実測した試験結果を入力して編集に入る動作モード、または、指導者用端末８０にて作成し保存された模擬試験データのファイルを読み出して編集に入る動作モード、または、全データを新たにキーインして編集に入る動作モードのいずれからもデータ編集が可能である。
【００４６】
模擬での測定値欄（ｃ）の設定例は、先ず、任意の試験項目欄（ｂ；例えば測定項目３）の行を選択し、次に、測定値欄（ｃ；例えば２８５）を選択することにより、 (ｇ)に示す測定値変更画面がウインドウ表示され、測定値を要求基準範囲内の値か、または、要求基準範囲を外れた値かの任意の値に変更することが可能である。
【００４７】
測定値の変更画面欄（ｇ）を閉じる（変更ボタンクリックする。）と、指導者用端末８０内の演算処理により、設定した値が要求基準を満たしているか否かを自動で判定し、判定欄（ｄ）に良否を表示させる。
【００４８】
模擬での測定値欄（ｃ）の他方の設定例は、判定欄（ｄ）をカーソルで選び、この欄をクリックすると、クリック毎に良好、不良を交互に切り換えられる。それと共に、良好または、不良時に参照されるデータとして、メモリに記憶された実測試験データ、またはメモリに記憶された模擬試験データのいずれかがデフォルトデータとして読み出されて、測定値欄（ｃ）の値を変更する。
【００４９】
また、モジュール１，２，３・・・（ｅ）欄に示されるように、試験項目毎に、当該試験項目が不良であった場合に、その故障原因が内在すると推定されるモジュール番号の該当欄に○印が表示される。
【００５０】
指導教官は、指導者用端末８０での設定作業に際し、故障モジュールを予め念頭に置きながらモジュール交換させるための試験項目を考慮した不良箇所内在モジュールの設定を行う。
【００５１】
以降、順次、所望の変更設定を行う測定項目に対して、設定作業を同様にして行えば、極めて多義にわたる不良状況を予め模擬的に発生させておくことが可能となる。
【００５２】
次に、試験用端末１０は、模擬訓練以外のときには、被試験器を接続し、汎用の測定器等を使用して実際の測定が行われるが、指導者用端末８０の表示画面より模擬開始ボタン（ｆ）をクリックされたときには、ＬＡＮを介して試験用端末１０に編集が完了した模擬データが転送され、模擬訓練のモードに入る。
【００５３】
訓練対象とされた整備担当者は、試験用端末１０を使用して試験を行うことが指令され、模擬試験としての測定が実行される。以下に、訓練対象とされた整備担当者が試験用端末１０を使用して試験を行う流れについて説明する。
【００５４】
［試験用端末での測定処理］
図４は、本発明の一実施形態に係る試験システムにおいて、訓練対象とされた整備担当者が試験用端末を使用して行う測定処理のフローチャートである。
【００５５】
ステップＳ１０１において、訓練対象とされた整備担当者は、試験用端末１０の入出力装置２５６から試験項目の選択操作を行う。
【００５６】
ステップＳ１０２において、入出力装置２５６は、選択された試験項目に応じた試験手順の画面（図５参照）をメモリ２５４内から読み出して、表示部に表示する。図５は、試験用端末１０の入出力装置２５６に表示された試験手順を示す操作画面の一例である。
図５に示すように、操作画面５００の表示欄５０１には、例えば、模擬被試験器５０である「送受信機Ｆ」の「電源投入試験」に関する試験の手順が示されている。また、当該手順の３番目の項目には、模擬被試験器５０である「送受信機Ｆ」と測定経路切換器２０の測定器接続部２２等との間を接続するためのケーブル接続図が記載されている。
【００５７】
整備担当者は、本ケーブル接続図に基づいて、複数ある所定の試験用ケーブル１６０を使用して模擬被試験器５０と測定経路切換器２０の測定器接続部２２等との間の接続を行う一方、表示欄５０１の試験手順に従って試験装置２の各操作を行い、「開始」ボタン５０２をカーソルで選びクリックする（ステップＳ１０３）。
【００５８】
ステップＳ１０４において、模擬モードで行うか、実測モードで行うかを指導教官または整備担当者が選択操作を行い、「ＹＥＳ」であれば模擬訓練とし、「ＮＯ」であれば、本番実測または実測訓練とする。本発明は、模擬モードであるので、実測を行わないステップＳ１０５のステップへ進む。
【００５９】
ステップＳ１０５において、試験用端末１０の入出力装置２５６は、該当する試験項目の試験結果（測定値；保存されていた実測試験データ、または保存されていた模擬試験データ、または、今回、指導者用端末８０にて全項目の設定が行われた模擬試験データ）を指導者用端末８０より取得する。
【００６０】
ステップＳ１０６において、試験用端末１０の入出力装置２５６は、取得された測定値が要求基準の範囲内であるかを判定する。
【００６１】
ステップＳ１０７において、試験用端末１０の入出力装置２５６は、ステップＳ１０６の判定が肯定であれば、判定結果＝良好、即ち、要求基準の範囲内であり、当該測定項目は正常と判定する。
【００６２】
ステップＳ１０８において、試験用端末１０の入出力装置２５６は、ステップＳ１０６の判定が否定であれば、判定結果＝不良、即ち、要求基準の範囲から外れた値であったので、当該測定項目は異常と判定する。
【００６３】
ステップＳ１０９において、試験用端末１０の入出力装置２５６は、測定値（模擬測定値）および良否判定結果を全項目の一覧表として表示画面に表示する。
【００６４】
ステップＳ１１０において、試験用端末１０の入出力装置２５６は、判定の良否状態をルート分けの判定を行い、「良」であれば、ステップＳ１１２へ移り、「否」であれば、処理ステップＳ１１１へ移行させる。
【００６５】
ステップＳ１１１において、試験用端末１０の入出力装置２５６は、訓練対象とされた整備担当者が、不良判定された測定項目に付与されている○印該当欄の関連性を考慮して、これにより、実際の故障モジュール番号を絞り込んで推定して、故障モジュールを特定し、表示画面に表示する。
整備担当者は、試験項目および良否判定の状況により、故障モジュールを特定するステップＳ１１１によって故障モジュールが判明するので、整備担当者は、画面を確認して、模擬被試験器５０に対し、該当番号の故障モジュールを正常なモジュールと交換する。
なお、図６は、模擬被試験器５０の外観を示す斜視図および他のケーブル接続用パネルを示す図である。模擬被試験器５０は、図６（ａ）に示すように、試験用ケーブル１６０を接続するケーブル接続用パネル５１と、交換可能な複数のモジュール５２とから構成されている。また、ケーブル接続用パネル５１は、交換可能な構造とすることにより、図６（ｂ）の５１−２および（ｃ）の５１−３に示すような複数パターンのケーブル接続方法を実習可能としている。
【００６６】
ここでは、今回の試験項目の結果と、既に、終えた試験項目の結果とを勘案して故障モジュールを特定するようにしてもよい。その結果、図４には示されていないが、指導者用端末８０より取得した指導教官側が設定された故障モジュールと合致しているかの処理を行い、その状況を試験用端末１０に表示させてもよい。
【００６７】
ステップＳ１１２において、試験用端末１０の入出力装置２５６は、例えば、特開２０１２−２４７８２４号に開示されたＲＦＩＤタグを利用した試験用ケーブルの接続状態適否確認方法等の技術を使い、試験用ケーブル接続状態並びに故障モジュール交換作業のチェック処理を行う。
【００６８】
ステップＳ１１３において、試験用端末１０の入出力装置２５６は、ステップＳ１１２の処理による試験用ケーブル接続状態チェック結果および故障モジュール交換作業チェック結果を指導者用端末８０に送信する。
【００６９】
このようにして、訓練対象とされた整備担当者（試験用端末１０の操作者）は、模擬モードであっても実機（被試験器および測定器）を使用した試験の場合と同等な操作が可能となり、試験装置２の習熟訓練が効率的に行われる。
【００７０】
なお、ステップＳ１０４の判定ステップで、実測モードで行うようであれば、「ＮＯ」として、実機の被試験器の実測モードまたは訓練用の被試験器の実測モードとするステップへ進む。
【００７１】
ステップＳ５０１において、試験用端末１０の入出力装置２５６は、測定経路切換器２０により、該当試験項目の測定経路の接続設定を行い、測定系を確立させる。このときには、各種の測定器３０から該当測定器が選択制御され、該当測定器に対して測定モードの設定制御も行われ、測定待ちの状態にする。
【００７２】
試験用端末１０の入出力装置２５６は、試験用端末１０と測定器３０とのインターフェイス、および、測定経路切換器２０とのインターフェイスには、ＧＰ―ＩＢ、ＲＳ―２３２Ｃなどの制御基準を用いて制御およびデータ転送の接続確立を行う。
【００７３】
ステップＳ５０２において、試験用端末１０の入出力装置２５６は、当該試験項目の実測定を行い測定値のデータを試験用端末１０に取得させる。
【００７４】
一方、上述した図４のステップＳ１１３において、試験用端末１０から送信された試験用ケーブル接続状態チェック結果および故障モジュール交換作業結果を受信した指導者用端末８０の入出力装置２５６は、当該結果を表示画面５１０として表示する。
図７は、本発明の指導者用端末の表示画面の一例を示す図である。図７に示すように、指導者用端末８０の入出力装置２５６は、試験用端末１０から送信された試験用ケーブル接続状態チェック結果に基づいて、試験用ケーブル１６０の接続結果を“○”または“×”の記号で表示する一方、当該接続結果の総合的な評価を“評価”欄に表示する。また、指導者用端末８０の入出力装置２５６は、試験用端末１０から送信された故障モジュール交換作業結果に基づいて、当該作業結果を“○”または“×”の記号で表示する一方、当該作業結果の総合的な評価を「評価」欄に表示する。
【００７５】
例えば、「試験項目１」の「ケーブル接続結果」において、Ｗ１、Ｗ４、Ｗ５およびＷ６の試験用ケーブル１６０に接続間違いがあったため“×”の記号が付いており、その結果、「評価」欄の評価が“５６”（％）となっている。また、「試験項目１」の「モジュール交換作業結果」において、「Ｍ１」のモジュールが交換対象となっており、当該モジュールが適切に交換されたため“○”の記号が付いており、その結果、「評価」欄の評価が“ＯＫ”となっている。なお、訓練指導者は、試験結果の確認が終わり、表示画面５１０を閉じる場合には、画面右下の「閉じる」ボタン５１２をカーソルで選びクリックする。
【００７６】
また、図７の「評価」欄において、所定の「評価値」欄５１１をカーソルで選びクリックすることによって、「ケーブル接続結果」の詳細を別の表示画面５２０で表示することができる。
図８は、本発明の指導者用端末の表示画面の他の例を示す図である。図７の「評価」欄において、「試験項目１」の「評価値」欄“５６”をカーソルで選びクリックすることによって、図８に示すような、「測定項目１」における「使用ケーブル接続図」および「使用ケーブル接続状態図」が示された表示画面５２０が表示される。そして、試験用ケーブル１６０の接続状態が正しい場合には、ケーブルＷ７のケーブル（ケーブル指示部５２１）の色を、例えば緑色で表示する。また、試験用ケーブル１６０の接続状態が間違っている場合には、ケーブルＷ１のケーブル（ケーブル指示部５２２）の色を、例えば赤色で表示する。なお、訓練指導者は、ケーブル接続状態の詳細確認が終わり、表示画面５２０を閉じる場合には、画面右下の「閉じる」ボタン５２３をカーソルで選びクリックする。
【００７７】
以上説明したように、本発明の一実施形態に係る試験システムによれば、実物の被試験器、接続ケーブルおよび測定器等がない状態でも、訓練者が試験装置にて擬似的な試験が行え、試験装置の使用方法、並びに被試験器と試験装置との接続方法やモジュールの交換方法を習得することができ、また、訓練指導者が訓練の結果を確認することが可能な試験システムを提供することができる。
【００７８】
なお、上記実施の形態の構成及び動作は例であって、本発明の趣旨を逸脱しない範囲で適宜変更して実行することができることは言うまでもない。
【符号の説明】
【００７９】
１：試験システム、２：試験装置、１０：試験用端末、２０：測定経路切換器、２２：測定器接続部、２４：専用試験器接続部、３０，３０−１，３０−Ｎ：測定器、４０：専用試験器、５０：被試験器または模擬被試験器、５１，５１−１，５１−２，５１−３：ケーブル接続用パネル、５２：モジュール、８０：指導者用端末、１１０：試験用ＰＣ、１２０：汎用測定器、１３０：被試験器、１４０：測定経路切換器、１６０：試験用ケーブル、２５０：本体、２５２：ＣＰＵ、２５４：メモリ、２５６：入出力装置、２５８：通信装置、２６０：記録装置、２６２：記録媒体、５００：操作画面、５０１：表示欄、５０２：「開始」ボタン、５１０：表示画面、５１１：「評価値」欄、５１２：「閉じる」ボタン、５２０：表示画面、５２１：ケーブル指示部、５２２：ケーブル指示部、５２３：「閉じる」ボタン。
【図１】
2016148618.tif 000003
【図２】
2016148618.tif 000004
【図３】
2016148618.tif 000005
【図４】
2016148618.tif 000006
【図５】
2016148618.tif 000007
【図６】
2016148618.tif 000008
【図７】
2016148618.tif 000009
【図８】
2016148618.tif 000010
【図９】
2016148618.tif 000011